(57)【特許請求の範囲】
【請求項１】
紙基材と、該紙基材の一方の面に重ね合わされる少なくとも一つの窓部を有する窓開き紙とからなり、前記紙基材の前記一方の面に大理石タイルの内外装材を印刷により表現した印刷絵柄が前記窓開き紙の前記窓部により全周に亘って縁取りされると共に前記窓部を介して見ることができるように設けられており、前記印刷絵柄が紙基材上にオフセット印刷により形成して成る絵柄模様層と、該絵柄模様層上全面にオフセット印刷用無着色グロスインキをオフセット印刷により形成して成る下地意匠層と、該下地意匠層上にシルクスクリーン印刷用無着色グロスインキをシルクスクリーン印刷により形成して成る表面意匠層を形成したものであることを特徴とする見本帳。
【請求項２】
紙基材と、該紙基材の一方の面に重ね合わされる少なくとも一つの窓部を有する窓開き紙とからなり、前記紙基材の前記一方の面に砂目柄タイルの内外装材を印刷により表現した印刷絵柄が前記窓開き紙の前記窓部により全周に亘って縁取りされると共に前記窓部を介して見ることができるように設けられており、前記印刷絵柄が紙基材上にオフセット印刷により形成して成る絵柄模様層と、該絵柄模様層上全面にオフセット印刷用無着色マットインキをオフセット印刷により形成して成る下地意匠層と、該下地意匠層上にシルクスクリーン印刷用無着色マットインキをシルクスクリーン印刷により形成して成る表面意匠層を形成したものであることを特徴とする見本帳。
【請求項３】
紙基材と、該紙基材の一方の面に重ね合わされる少なくとも一つの窓部を有する窓開き紙とからなり、前記紙基材の前記一方の面に吹き付け塗装の外装材やスタッコ調模様を印刷により表現した印刷絵柄が前記窓開き紙の前記窓部により全周に亘って縁取りされると共に前記窓部を介して見ることができるように設けられており、前記印刷絵柄が紙基材上にオフセット印刷により形成して成る絵柄模様層と、該絵柄模様層上全面にオフセット印刷用グロスＯＰニスをオフセット印刷により形成して成る下地意匠層と、該下地意匠層上にシルクスクリーン印刷用無着色グロスインキないしシルクスクリーン印刷用無着色マットインキをシルクスクリーン印刷により形成して成る表面意匠層を形成したものであることを特徴とする見本帳。
【請求項４】
紙基材と、該紙基材の一方の面に重ね合わされる少なくとも一つの窓部を有する窓開き紙とからなり、前記紙基材の前記一方の面に織布柄の化粧材を印刷により表現した印刷絵柄が前記窓開き紙の前記窓部により全周に亘って縁取りされると共に前記窓部を介して見ることができるように設けられており、前記印刷絵柄が紙基材上にオフセット印刷により形成して成る絵柄模様層と、該絵柄模様層上全面にオフセット印刷用無着色マットＯＰニスないしオフセット印刷用グロスＯＰニスをオフセット印刷により形成して成る下地意匠層と、該下地意匠層上に艶の異なる２種類のシルクスクリーン印刷用無着色インキで凹部と凸部をシルクスクリーン印刷により形成して成る表面意匠層を形成したものであることを特徴とする見本帳。
【発明の詳細な説明】
【０００１】
【発明の属する技術分野】
本発明は、住設業界や内装業界等で商談等の際に広く用いられている見本帳に関するものである。
【０００２】
【現状の技術】
現状、住設業界や内装業界等で商談等の際に用いられる見本帳ないし該見本帳を複数枚綴じ合わせた見本帳ファイルは、通常、現物の一部をそのまま台紙に貼り付けると共に、現物をより良く見せるために、窓部を設けた窓開き紙で現物を被覆し、窓部から現物の絵柄や地紋を見ることができるように構成されている。
【０００３】
このような現状の見本帳について図５〜図７を用いて更に詳しく説明する。現状の見本帳10は現物の一部、たとえば、壁面用化粧板（図５においては絵柄の異なる平板状の６ピース）11、12、13、14、15、16をそのまま台紙20の一方の面に適当な接着手段21を用いて貼り付け、その後に貼付した前記壁面用化粧板（図５においては絵柄の異なる平板状の６ピース）11、12、13、14、15、16の位置に対応する部分に窓部40を有する窓開き紙30（図７参照）を前記壁面用化粧板の厚さに応じた高さを有するように略箱型に構成して前記壁面用化粧板（図５においては絵柄の異なる矩形状の６ピース）11、12、13、14、15、16のそれぞれの４つの端部を被覆して前記４つの端部が表面に露出することがないように前記台紙20上に被せると共に略箱型に構成した前記窓開き紙30の所定箇所（図７で示す糊付け片35、35’）を適当な接着手段22を用いて前記台紙20上に貼着したものである。
【０００４】
窓開き紙30は、たとえば、図７に示すような窓部40を有する矩形状前面板31と、前記前面板31の一方の一対の辺に折罫32、32及び33、33を順次介して一対の側面板34、34と一対の糊付け片35、35とが連接し、前記前面板32の他方の一対の辺に折罫32’、32’及び33’、33’を順次介して一対の側面板34’、34’と一対の糊付け片35’、35’とが連接し、前記一対の側面板34、34の自由な一対の辺に折罫36、36、36、36を介して折込片37、37、37、37が設けられたブランク板30’からなり、このブランク板30’を略箱型に構成するには、まず、前記折罫32、32で前記側面板34、34を直角に折り曲げると共に、前記折罫33、33と前記折罫36、36、36、36で前記糊付け片35、35と前記折込片37、37、37、37を前記側面板34、34に対して直角に折り曲げ、その後前記折罫32’、32’と前記折罫33’、33’で前記側面板34’、34’と前記糊付け片35’、35’とを前記前面板31と前記側面板34’、34’に対して直角に折り曲げることにより略箱型となる。
【０００５】
このように略箱型に成形された窓開き紙30を壁面用化粧板（図５においては絵柄の異なる平板状の６ピース）11、12、13、14、15、16が貼着された台紙20に前記糊付け片35、35’で適当な接着手段22を用いて貼着することにより、図５に示す見本帳10となる。
【０００６】
このように現状の見本帳10は、▲１▼見本帳に貼り付ける現物を見本帳の制作数量分一点一点全て調達しなければならないという問題、また、▲２▼台紙20に現物を貼着する作業から始まり、窓開き紙30を略箱型にする作業、そして略箱型にした前記窓開き紙30を台紙20に貼着する作業まで、すべての作業が手作業であるという問題、また、▲３▼現物の厚さが異なる場合には裏貼りをするなどして厚さを揃えなければならないという問題、また、▲４▼すべての作業が手作業のために制作も長期間を要し、制作費用も高くなるという問題、さらに、▲５▼現物を貼着したものであるために嵩張ると共に結構重く取扱いや持ち運びに適さないという問題、またさらに、▲６▼廃棄に際しては、現物が木質、織布、コンクリート等の色々な材料からなるために、廃棄処理も容易ではないという問題を抱えていた。
【０００７】
【発明が解決しようとする課題】
そこで本発明は、上記問題に鑑みてなしたものであって、その目的とするところは、現状の見本帳ないし見本帳ファイルの体裁を備え、制作数量分の現物の調達や調達した現物を一点一点台紙に貼り付ける手間をなくし、短期間に安価に制作することができる見本帳ないし見本帳ファイルであって、かつ、取扱いや持ち運びが容易で、廃棄処理も簡単な見本帳ないし見本帳ファイルを提供することである。
【０００８】
【課題を解決するための手段】
本発明者等は、上記のような課題を達成するために、本発明の見本帳は、紙基材と、該紙基材の一方の面に重ね合わされる少なくとも一つの窓部を有する窓開き紙とからなり、前記紙基材の前記一方の面に大理石タイルの内外装材を印刷により表現した印刷絵柄が前記窓開き紙の前記窓部により全周に亘って縁取りされると共に前記窓部を介して見ることができるように設けられており、前記印刷絵柄が紙基材上にオフセット印刷により形成して成る絵柄模様層と、該絵柄模様層上全面にオフセット印刷用無着色グロスインキをオフセット印刷により形成して成る下地意匠層と、該下地意匠層上にシルクスクリーン印刷用無着色グロスインキをシルクスクリーン印刷により形成して成る表面意匠層を形成したものである。このように構成することにより、現状の見本帳の体裁を備えると共に、制作数量分の現物の調達や調達した現物を一点一点台紙に貼り付ける手間をなくし、短期間に安価に制作することができると共に、取扱いや持ち運びが容易で、廃棄処理も簡単な見本帳とすることができ、更に、このように構成することにより、現物の持つ凹凸感、艶、色調、量感、触感等の質感を表現した印刷絵柄を有する見本帳とすることができる。
【０００９】
また、請求項２に記載の発明は、 紙基材と、該紙基材の一方の面に重ね合わされる少なくとも一つの窓部を有する窓開き紙とからなり、前記紙基材の前記一方の面に砂目柄タイルの内外装材を印刷により表現した印刷絵柄が前記窓開き紙の前記窓部により全周に亘って縁取りされると共に前記窓部を介して見ることができるように設けられており、前記印刷絵柄が紙基材上にオフセット印刷により形成して成る絵柄模様層と、該絵柄模様層上全面にオフセット印刷用無着色マットインキをオフセット印刷により形成して成る下地意匠層と、該下地意匠層上にシルクスクリーン印刷用無着色マットインキをシルクスクリーン印刷により形成して成る表面意匠層を形成したものであることを特徴とする見本帳である。
更に、請求項３に記載の発明は、紙基材と、該紙基材の一方の面に重ね合わされる少なくとも一つの窓部を有する窓開き紙とからなり、前記紙基材の前記一方の面に吹き付け塗装の外装材やスタッコ調模様を印刷により表現した印刷絵柄が前記窓開き紙の前記窓部により全周に亘って縁取りされると共に前記窓部を介して見ることができるように設けられており、前記印刷絵柄が紙基材上にオフセット印刷により形成して成る絵柄模様層と、該絵柄模様層上全面にオフセット印刷用グロスＯＰニスをオフセット印刷により形成して成る下地意匠層と、該下地意匠層上にシルクスクリーン印刷用無着色グロスインキないしシルクスクリーン印刷用無着色マットインキをシルクスクリーン印刷により形成して成る表面意匠層を形成したものであることを特徴とする見本帳である。
また、請求項４に記載の発明は、紙基材と、該紙基材の一方の面に重ね合わされる少なくとも一つの窓部を有する窓開き紙とからなり、前記紙基材の前記一方の面に織布柄の化粧材を印刷により表現した印刷絵柄が前記窓開き紙の前記窓部により全周に亘って縁取りされると共に前記窓部を介して見ることができるように設けられており、前記印刷絵柄が紙基材上にオフセット印刷により形成して成る絵柄模様層と、該絵柄模様層上全面にオフセット印刷用無着色マットＯＰニスないしオフセット印刷用グロスＯＰニスをオフセット印刷により形成して成る下地意匠層と、該下地意匠層上に艶の異なる２種類のシルクスクリーン印刷用無着色インキで凹部と凸部をシルクスクリーン印刷により形成して成る表面意匠層を形成したものであることを特徴とする見本帳である。
【００１０】
【発明の実施の形態】
上記の本発明について、図面等を用いて以下に更に詳しく説明する。
図１は本発明にかかる見本帳の一実施例を示す斜視図、図２は図１を見開いた状態を示す平面図、図３は図１のＸ−Ｘ線の断面図、図４は本発明の現物を印刷により表現した印刷絵柄の代表的な層構成を示す断面図であり、図中の１は見本帳、１’はブランク板、２は紙基材、３は窓開き紙、４は折罫、５は窓部、2a、2b、2c、2d、2e、2f，100 ，110 ，120 ，130 は印刷絵柄、23は接着手段、103 ，113 ，123 ，133 は絵柄模様層、104 ，114 ，134 は下地意匠層、105 ，115 ，125 ，135 は表面意匠層、127 ，137 は凹凸模様層、136 は凹部、136'は凸部をそれぞれ示す。
【００１１】
図１は本発明にかかる見本帳の一実施例を示す斜視図であり、見本帳１は紙基材２の一方の面に現物を印刷により表現した印刷絵柄、たとえば、壁面用化粧材を印刷により表現した印刷絵柄（図１、２においては６種類の印刷絵柄2a、2b、2c、2d、2e、2f）が設けられると共に、前記印刷絵柄（図１、２においては６種類の印刷絵柄2a、2b、2c、2d、2e、2f）を窓開き紙３に設けられた窓部５により全周に亘って縁取りされた状態で前記窓部５を介して見ることができるように構成されている。
【００１２】
図２は図１を見開いた状態を示す平面図、図３は図１のＸ−Ｘ線の断面図であり、見本帳１は紙基材２を構成する部分と窓開き紙３を構成する部分とが折罫４を介して連接した一枚の紙からなり、紙基材２を構成する部分に現物、たとえば、壁面用化粧材を印刷により表現した印刷絵柄（図１、２においては６種類の印刷絵柄2a、2b、2c、2d、2e、2f）が設けられると共に、前記窓開き紙３を構成する部分の前記紙基材２を構成する部分に設けられた６種類の印刷絵柄（図１、２においては６種類の印刷絵柄2a、2b、2c、2d、2e、2f）と前記折罫４に対して線対称な位置に前記６種類の印刷絵柄（図１、２においては６種類の印刷絵柄2a、2b、2c、2d、2e、2f）内に納まるように構成された窓部５が形成されているブランク板１’からなる。このブランク板１’は、紙にオフセット印刷等の周知の印刷法で、たとえば、壁面用化粧材の印刷絵柄（図１、２においては６種類の印刷絵柄2a、2b、2c、2d、2e、2f）を印刷し、その後に型抜き機で窓部５を形成すると同時に折罫４を設けることにより製造することができる。このようにして製造されたブランク板１’を前記折罫４で前記紙基材２を構成する部分に前記窓開き紙３を構成する部分を折り重ねて、３周縁を適当な接着手段23により接着することにより見本帳１とすることができる。なお、図１、２に示した印刷絵柄2a、2b、2c、2d、2e、2fは本発明の見本帳の形態をより良く理解してもらうために示したものであって、これに限るものではない。
【００１３】
次に、本発明の現物を印刷により表現した印刷絵柄について説明する。
図４は本発明の現物を印刷により表現した印刷絵柄の代表的な層構成を示す断面図であって、図４（ａ）は凹凸感のない表面を有する印刷絵柄100 であって、該印刷絵柄100 は紙基材２上にオフセット印刷によりオフセット印刷用プロセスカラーインキで印刷した絵柄模様層103 を形成し、該絵柄模様層103 上全面にオフセット印刷によりオフセット印刷用無着色グロスインキ（以下、オフセット印刷用グロスＯＰニスと呼称する）を印刷して下地意匠層104 を形成し、該下地意匠層104 上全面にシルクスクリーン印刷によりシルクスクリーン印刷用無着色グロスインキを印刷して表面意匠層105 を形成したものである。このような構成の印刷物とすることにより、艶と深みのある質感を持たせることができ、たとえば、大理石柄のタイルに代表される内外装材を表現することができる。
【００１４】
図４（ｂ）は上記同様に凹凸感のない表面を有する印刷絵柄110 であって、該印刷絵柄110 は紙基材２上にオフセット印刷によりオフセット印刷用プロセスカラーインキで印刷した絵柄模様層113 を形成し、該絵柄模様層113 上全面にオフセット印刷によりオフセット印刷用無着色マットインキ（以下、オフセット印刷用マットＯＰニスと呼称する）を印刷して下地意匠層114 を形成し、該下地意匠層114 上全面にシルクスクリーン印刷によりシルクスクリーン印刷用無着色マットインキを印刷して表面意匠層115 を形成したものである。このような構成の印刷物とすることにより、艶消しと深みのある質感を持たせることができ、たとえば、砂目柄等のタイルに代表される内外装材を表現することができる。
【００１５】
図４（ｃ）は凹凸感のある表面を有する印刷絵柄120 であって、該印刷絵柄120 は紙基材２上にオフセット印刷によりオフセット印刷用プロセスカラーインキで印刷した絵柄模様層123 を形成し、該絵柄模様層123 上全面にオフセット印刷によりオフセット印刷用グロスＯＰニスを印刷して下地意匠層104 を形成し、該下地意匠層104 上に前記絵柄模様層123 の模様に合わせてシルクスクリーン印刷によりシルクスクリーン印刷用無着色グロスインキないしシルクスクリーン印刷用無着色マットインキを印刷して凹凸模様層127 からなる表面意匠層125 を形成したものである。このような構成の印刷物とすることにより、艶のある凸部ないし艶消しの凸部と艶のある凹部とからなる凹凸を強調した質感を持たせることができ、たとえば、吹き付け塗装の外装材やスタッコ調模様等のパネルに代表される内外装材を表現することができる。
【００１６】
図４（ｄ）は微妙な凹凸感のある表面を有する印刷絵柄130 であって、該印刷絵柄130 は紙基材２上にオフセット印刷によりオフセット印刷用プロセスカラーインキで印刷した絵柄模様層133 を形成し、該絵柄模様層133 上全面にオフセット印刷によりオフセット印刷用マットＯＰニスないしオフセット印刷用グロスＯＰニスを印刷して下地意匠層134 を形成し、該下地意匠層134 上に前記絵柄模様層133 の模様に合わせてシルクスクリーン印刷により艶の異なる２種類のシルクスクリーン印刷用無着色インキで凹部と凸部を形成、たとえば、シルクスクリーン印刷用無着色グロスインキで凹部136 を形成するとすれば、凸部136'をシルクスクリーン印刷用無着色マットインキで形成（逆に、図示はしないがシルクスクリーン印刷用無着色グロスインキで凸部136'を形成するとすれば、凹部136 をシルクスクリーン印刷用無着色マットインキで形成）した凹凸模様層137 からなる表面意匠層135 を形成したものである。このような構成の印刷物とすることにより、微妙な凹凸感のある質感を持たせることができ、たとえば、織布柄等の化粧材に代表される内装材を表現することができる。
【００１７】
なお、本発明の現物を印刷により表現した印刷絵柄は、上記した４つの実施形態に限るものではなく、本発明の趣旨を逸脱しない範疇のものはすべて含まれるものである。
【００１８】
このように、本発明の見本帳１は、印刷機と型抜き機と折り機等の加工機により容易に製造することができるために、現状の見本帳10のような制作数量分の現物の調達や調達した現物を一点一点台紙に貼り付ける作業をなくすことができ、また、短期間に安価に制作することができる。さらに、印刷絵柄で現物を表現しているために、嵩張ることがなく、重量的にも軽く、取扱いや持ち運びが容易で、かつ、廃棄処理も簡単である。
【００１９】
なお、上記説明においては、紙基材２と窓開き紙３を一枚の紙で構成したものを示したが、紙基材２と窓開き紙３とを別体で構成してもよく、この場合は見本帳に色々な意匠性を付与することができる。なお、紙基材２及び窓開き紙３としては合成紙であってもよい。また、窓部は複数個設けた構成が見本帳としてより好ましいものである。
【００２０】
【発明の効果】
本発明の見本帳は、今まで縷々説明したように、現状の見本帳の体裁を備えると共に、現物の持つ凹凸感、艶、色調、量感、触感等の質感を表現した印刷絵柄からなるものであって、制作数量分の現物の調達や調達した現物を一点一点台紙に貼り付ける手間をなくし、短期間に安価に制作することができると共に、取扱いや持ち運びが容易で、廃棄処理も簡単であるという現状の見本帳が抱えていたすべての問題を解決することができるという優れた効果を奏するものである。
【図面の簡単な説明】
【図１】  本発明にかかる見本帳の一実施例を示す斜視図である。
【図２】  図１を見開いた状態を示す平面図である。
【図３】  図１のＸ−Ｘ線の断面図である。
【図４】  本発明の現物を印刷により表現した印刷絵柄の代表的な層構成を示す断面図である。
【図５】  現状の見本帳の一実施例を示す斜視図である。
【図６】  図４のＹ−Ｙ線の断面図である。
【図７】  窓開き紙の一実施例を示す展開図である。
【符号の説明】
１，10                        見本帳
１’，30’                    ブランク板
２                            紙基材
３                            窓開き紙
４，32，32’，33，33’，36    折罫
５，40                        窓部
2a、2b、2c、2d、2e、2f        印刷絵柄
100 ，110 ，120 ，130         印刷絵柄
11，12，13，14，15，16        壁面用化粧板
20                            台紙
21，22，23                    接着手段
30                            窓開き紙
31                            前面板
34，34’                      側面板
35，35’                      糊付け片
37                            折込片
103 ，113 ，123 ，133         絵柄模様層
104 ，114 ，134               下地意匠層
105 ，115 ，125 ，135         表面意匠層
127 ，137                     凹凸模様層
136                           凹部
136'                          凸部
【図１】
0004770000.tif 000002
【図２】
0004770000.tif 000003
【図３】
0004770000.tif 000004
【図４】
0004770000.tif 000005
【図５】
0004770000.tif 000006
【図６】
0004770000.tif 000007
【図７】
0004770000.tif 000008